(57)【要約】【課題】  当該広告の対象となる製品等の情報に密接な関連を有する大衆のみに対し、各個人にピンポイントで広告情報を提供することにより、当該広告情報を必要としている需要者、大衆に確実に広告情報を伝達することができる広告媒体を提供する。【解決手段】  広告宣伝情報を表示しうる立体画像表示部と、上記立体画像表示部に表示された画像を立体的に視認しうる眼鏡部とを備え、当該広告宣伝情報の受け手である各個人に対して提供される。【選択図】  図１
2006184812.tif 000002
【特許請求の範囲】
【請求項１】
広告宣伝情報を表示しうる立体画像表示部と、上記立体画像表示部に表示された画像を立体的に視認しうる眼鏡部とを備え、当該広告宣伝情報の受け手である各個人に対して提供されることを特徴とする広告宣伝媒体。
【請求項２】
上記広告宣伝媒体は、情報の受け手である各個人に頒布されうる大きさであって各個人が日常的に使用しうる重さに形成されると共に折りたたみ可能に形成されていることを特徴とする請求項１記載の広告宣伝媒体。
【請求項３】
上記広告宣伝媒体は、それ自体で郵便により送付可能に形成されていることを特徴とする請求項１又は２記載の広告宣伝媒体。
【請求項４】
広告宣伝媒体本体と、広告宣伝媒体本体の立体画像表示部に掲載される立体画像シートとにより構成されることを特徴とする請求項１〜３  記載の広告宣伝媒体。
【請求項５】
上記立体画像シートは複数枚により構成され、上記立体画像表示部に対して着脱可能に固定されることを特徴とする請求項４記載の広告宣伝媒体。
【請求項６】
上記立体画像表示部と上記眼鏡部とは、一枚の板状部材に設けられ、上記立体画像表示部と上記眼鏡部とを折曲して起立させ対向しうるように配置して使用することを特徴とする請求項１〜５記載の広告宣伝媒体。
【請求項７】
上記板状部材は全体長方形に形成され、上記立体画像表示部と上記眼鏡部とは、長さ方向両端部に配置されていることを特徴とする請求項  １〜６記載の広告宣伝媒体。
【請求項８】
上記立体画像表示部は上記板状部材の表面側及び裏面側の双方に形成され、立体画像表示部及び眼鏡部は裏面方向に折曲しても使用しうるように構成されていることを特徴とする請求項１〜７記載の広告宣伝媒体。
【請求項９】
上記立体画像表示部には、ゴルフコースの各ホールをプレイヤーの視点からグリーンを眺めた風景を示すホール立体写真と、当該ホールのレイアウトを示すホール鳥瞰図とが対応付けられて表示されることを特徴とする請求項１〜８記載の広告宣伝媒体。
【請求項１０】
上記立体画像表示部と上記眼鏡部との間にはゴルフのスコアカードが表示されていることを特徴とする請求項１〜９記載の広告宣伝媒体。
【請求項１１】
上記ホール鳥瞰図には、各プロゴルファーの当該ホールにおける飛距離が示されていることを特徴とする請求項９又は１０記載の広告宣伝媒体。
【請求項１２】
上記立体画像表示部に表示されたホール立体写真は、撮影された当該ホールのグリーンの地表のアンジュレーションが視認しうるように形成されていることを特徴とする請求項９〜１１記載の広告宣伝媒体。
【請求項１３】
上記立体画像表示部に表されるホール立体写真及び上記ホール鳥瞰図は、当該ゴルフコースを形成する１８ホールを個別に撮影した１８枚の写真で形成されると共に上記立体画像表示部に対し着脱可能に固定されることを特徴とする請求項９〜１２記載の広告宣伝媒体。
【発明の詳細な説明】
【技術分野】
【０００１】
本発明は広告宣伝媒体に係り、特に、当該広告宣伝情報を必要とする個人に対して広告宣伝情報を確実に伝達することができる広告宣伝媒体に関する。
【背景技術】
【０００２】
現在、テレビ、新聞又は雑誌等のマスメディアを利用して様々な企業等による広告が行われている。
【０００３】
マスメディアは多数の視聴者、読者に対して様々な情報を広く発信することができることから、広告宣伝においても多くの視聴者、読者に当該広告が目に触れる機会がある可能性があり、従来より、企業等はマスメディアを利用した広告を行ってきている。
【０００４】
しかしながら、このようなマスメディアを利用した広告には従来より以下のような問題点が存していた。
マスメディアは広く一般の大衆を対象とする媒体であることから、マスメディアを利用した広告も広く不特定多数の大衆に対して広告を行うものであり、特定の情報の受け手としての視聴者、読者等の対象を絞ることはできない。この場合、専門誌等の対象の読者を絞ったメディアも存在するが、やはり非常に多くの読者を対象とするものである。
【０００５】
従って、当該広告に係る製品等の情報に関して興味を持つ読者及び視聴者のみならず当該広告に係る製品等に興味を持たない読者及び視聴者に対しても均等に広告情報を提供するものであることから、マスメディアにおける広告により消費者による製品購入につながる可能性は、広告の規模と対比した場合に非常に低いものであった。
【０００６】
また、上記マスメディアにおいて広告を行う場合には、当該テレビ会社、新聞社、雑誌社等の、当該マスメディアの所有者に対して支払う広告料が非常に高く、投下する広告宣伝費の額を考慮した場合、費用対効果の観点からは、充分な広告効果を得られない場合が多かった。
さらに、上記マスメディアによる広告はいずれも、視聴者、読者の目に留まる可能性の観点からは、いわば一過性の情報であり、特に、テレビに関しては視聴者が当該コマーシャルをテレビで見た場合であっても、数多くのコマーシャルが行われている現状から考慮した場合、特定のコマーシャルのみが視聴者の印象に残る可能性は非常に低いものとなる。
【０００７】
同様に、新聞や雑誌等においても、多数のページにおける多数の記事の中から読者が特定の広告に確実にたどり着く可能性は非常に低く、広告掲載料が高いことを考慮した場合、テレビ同様に費用対効果の観点においては広告の有効性に関しては疑問である場合が多い、という事情が存していた。
【０００８】
一方、近年、インターネットが普及していることから、インターネットを利用し、ホームページ上において様々な広告を行うことが可能となり、各社ともに自社の製品をホームページ上において広告宣伝を行っている。このような広告にあっては、広告掲載料は不要となることから上記のような従来のマスメディアにおける場合の不具合はない。
【０００９】
しかしながら、上記ホームページを一般大衆が閲覧するためには、コンピュータを購入しかつ使用して当該ホームページにアクセスしなければならないことから、コンピュータを所有し、かつ、当該会社又は製品に事前に興味を持つ人間のみしか実際の広告を見ない場合が多く、広告の情報伝達の簡易性の点で問題がある、という不具合が存していた。
【００１０】
また、ダイレクトメールにより直接に個人に対して広告宣伝情報を伝達することは可能であるが、ダイレクトメールの送付先を的確に絞り込むことは難しく、上記同様に広告宣伝効果は余り期待できないものであった。
【発明の開示】
【発明が解決しようとする課題】
【００１１】
本発明はこのような従来の問題点に鑑みされたものであって、当該広告の対象となる製品等の情報に密接な関連を有する大衆のみに対し、各個人にピンポイントで広告情報を提供することにより、当該広告情報を必要としている需要者、大衆に確実に広告情報を伝達することができる広告媒体を提供することにある。
このような観点から出願人は過去の文献を調査したが関連する文献は発見できなかった。
【課題を解決するための手段】
【００１２】
上記課題を解決するため、請求項１記載の発明にあっては、広告宣伝情報を表示しうる立体画像表示部と、上記立体画像表示部に表示された画像を立体的に視認しうる眼鏡部とを備え、当該広告宣伝情報の受け手である各個人に対して提供されることを特徴とする。
【００１３】
従って、請求項１記載の発明にあっては、広告宣伝媒体が提供された各個人は上記眼鏡部により上記立体画像を視認することにより、立体画像を介して広告宣伝情報を受けとる。
また、上記広告宣伝媒体は直接に、情報の受け手である当該個人に手渡される場合もあれば、郵送される場合もあり、個人への提供の方法に関しては方法を問わない。
【００１４】
請求項２記載の発明にあっては、上記広告宣伝媒体は、情報の受け手である各個人に頒布されうる大きさであって各個人が日常的に使用しうる重さに形成されていると共に折りたたみ可能に形成されていることを特徴とする。
【００１５】
従って、請求項２記載の発明にあっては、広告宣伝媒体は様々な態様で容易に情報の受け手である各個人に提供されうると共に、広告宣伝媒体を入手した各個人は手軽に使用して広告宣伝情報を認識することができる。
【００１６】
請求項３記載の発明にあっては、上記広告宣伝媒体は、それ自体で郵便により送付可能に形成されていることを特徴とする。
従って、請求項３記載の発明にあっては、広告宣伝媒体は媒体そのものとして郵送されて個人に提供される。
【００１７】
請求項４記載の発明にあっては、広告宣伝媒体本体と、広告宣伝媒体本体の立体画像表示部に掲載される立体画像シートとにより構成されることを特徴とする。
【００１８】
従って、請求項４記載の発明にあっては、上記立体画像表示部には広告宣伝媒体本体とは別個に設けられた立体画像シートが取り付けられて立体画像を形成する。
【００１９】
請求項５記載の発明にあっては、上記立体画像シートは複数枚により構成され、上記立体画像表示部に対して着脱可能に固定されることを特徴とする。
従って、請求項５記載の発明にあっては、広告宣伝媒体本体の立体画像表示部に対しては、複数枚の立体画像シートを夫々、付け替えることにより様々な立体画像を形成することができる。
【００２０】
請求項６記載の発明にあっては、上記立体画像表示部と上記眼鏡部とは、一枚の板状部材に設けられ、上記立体画像表示部と上記眼鏡部とを折曲して起立させ対向しうるように配置して使用することを特徴とする。
【００２１】
従って、請求項６記載の発明にあっては、板状部材として各個人に提供され、提供された個人は立体画像表示部及び眼鏡部を起立させて使用する。
請求項７記載の発明にあっては、上記板状部材は全体長方形に形成され、上記立体画像表示部と上記眼鏡部とは、長さ方向両端部に配置されていることを特徴とする。
【００２２】
請求項８記載の発明にあっては、上記立体画像表示部は上記板状部材の表面側及び裏面側の双方に形成され、立体画像表示部及び眼鏡部は裏面方向に折曲しても使用しうるように構成されていることを特徴とする。
【００２３】
請求項９記載の発明にあっては、上記立体画像表示部には、ゴルフコースの各ホールをプレイヤーの視点からグリーンを眺めた風景を示すホール立体写真と、当該ホールのレイアウトを示すホール鳥瞰図とが対応付けられて表示されることを特徴とする。
【００２４】
請求項９記載に係る発明にあっては、本発明に係る広告宣伝媒体を、ゴルフトーナメントにおいて頒布され、又は当該ゴルフ場において販売される広告宣伝媒体に適用した場合に係り、立体画像表示部としてホール立体写真及びホール鳥瞰図が掲載されている。
【００２５】
従って、請求項９記載の発明にあっては、本請求項に係る広告宣伝媒体を入手したゴルファーは、上記ゴルフコースにおける各ホールをプレイヤーの視点からグリーンを眺めた風景を示すホール立体写真を見ることにより実際の当該ホールをイメージすることができると共に、上記ホール鳥瞰図とを見ることによりそのホールの有効な攻略方法を、実際に当該コースに立つ以前に検討することができる。
【００２６】
請求項１０記載の発明にあっては、上記立体画像表示部と上記眼鏡部との間にはゴルフのスコアカードが表示されていることを特徴とする。
従って、請求項１０記載の発明にあっては、上記広告宣伝媒体を入手した場合には、例えばゴルフトーナメントを観戦する場合に、自分がファンであるプロゴルファーに随行しながら、そのプレイのスコアを記録することができる。また、自分自身がプレーする場合には、自分のスコアを記載することもできる。
【００２７】
請求項１１記載の発明にあっては、上記鳥瞰写真には、各プロゴルファーの当該ホールにおける飛距離が示されていることを特徴とする。
従って、請求項１１記載の発明にあっては、広告宣伝媒体を入手した場合には、鳥瞰写真に示された各プロゴルファーの当該ホールにおける飛距離を参照し、当該ホールの攻略方法を練ることができる。
【００２８】
請求項１２記載の発明にあっては、上記立体画像表示部に表示されたホール立体写真は、撮影された当該ホールのグリーンの地表のアンジュレーションが視認しうるように形成されていることを特徴とする。
【００２９】
従って、請求項１２記載の発明にあっては、本発明に係る広告宣伝媒体の使用者は、本発明に係る広告宣伝媒体を使用した場合には、各ホールのグリーンのアンジュレーションが事前に把握できる。
【００３０】
請求項１３記載の発明にあっては、上記立体画像表示部に表されるホール立体写真及びホール鳥瞰図は、当該ゴルフコースを形成する１８ホールを個別に撮影した１８枚の写真で形成されると共に上記立体画像表示部に対し着脱可能に固定されることを特徴とする。
【００３１】
従って、請求項１３記載の発明に係る広告宣伝媒体を使用した場合には、当該ゴルフコースを構成する全ホールに関し事前に視覚的に体験することができ、事前に各ホールの攻略方法を検討することができる。
【発明の効果】
【００３２】
請求項１記載の発明にあっては、従来より行われているマスメディアを利用した広告とは異なり、当該広告宣伝に係る情報に密接に関連し、当該情報の入手を必要としている当該個人に対し、直接に提供される。
【００３３】
その結果、当該広告の対象となる製品等の情報に密接な関連を有する大衆のみに対し、各個人にピンポイントで広告情報を提供することにより、当該広告情報を必要としている需要者、大衆に確実に広告情報を伝達することができる広告媒体を提供することが可能となる。
【００３４】
従って、広告宣伝側と広告宣伝情報の受け手側が完全に１人対１人の状態、即ち、「ワンツーワン」の状況下において広告宣伝情報の受け渡しを行うことができることから、マスメディアを利用した広告の場合に比して、宣伝広告情報が確実に、当該情報を必要としている消費者、需要者である個人に直接に提供されることから、宣伝広告効果を大幅に向上させることが可能となる。
【００３５】
また、マスメディアを利用しないことから、広告料を低減することが可能であり、宣伝広告の費用効率を大幅に向上させることが可能となる。
さらに、本発明に係る広告宣伝媒体は、この広告宣伝媒体を入手した個人が広告宣伝対象物を立体画像により認識することができるものであることから、一般の掲載広告の場合に比して、よりリアルな、インパクトのある臨場感に富んだ宣伝広告情報を受け取ることができる。
【００３６】
請求項２記載の発明にあっては、広告宣伝媒体は様々な態様で容易に情報の受け手である各個人に提供されうることから、広告宣伝媒体としての利用の可能性を広範なものとすることができる。また、広告宣伝媒体を入手した各個人は手軽に使用して広告宣伝情報を認識することができることから、広告宣伝情報へのアクセスも容易であり、確実な宣伝効果を得ることができる。
【００３７】
請求項３記載の発明にあっては、より効果的なダイレクトメールとして使用することもできる。
請求項４記載の発明にあっては、立体画像は広告宣伝媒体本体とは別個に設けられた立体画像シートに描かれ、当該立体画像シートを広告宣伝媒体本体に取り付けて、眼鏡部から視認することにより立体画像を形成するように構成されていることから、広告宣伝媒体本体と立体画像シートとを別個に提供又は販売して情報の受け取り手に提供することができる。
【００３８】
請求項５記載の発明にあっては、一基の広告宣伝媒体本体に複数枚の立体画像シートを使用することにより様々な立体画像を形成することができる。
請求項６乃至請求項８記載の発明にあっては、広告宣伝媒体は一枚の板状部材により形成されていることから、搬送性に優れ、情報の受け手である各個人に対して容易に提供することができると共に、提供された個人側においても取扱性、保管性に優れることから確実な広告宣伝効果を得ることができる。
【００３９】
また、提供された需要者も立体画像表示部及び眼鏡部を折曲して起立させることにより使用することができることから使用も容易であり、確実に広告宣伝対象物を視認して、広告宣伝情報を得ることができる。
従って、例えば、本発明に係る広告宣伝媒体の情報の受け手である各個人手への提供時には、平板な１枚の板状部材の状態で包装されて販売又は頒布され、各個人が使用する際に、立体眼鏡として使用可能な状態に、上記立体写真部及び上記眼鏡部を起立させて使用することができる。
【００４０】
その結果、商品としての輸送、保管、販売に当たっては１枚の板状部材であることから扱いやすく輸送コスト、保管コストを低減でできると共に、販売にあたっても包装した場合にも取り扱いが容易となる。
請求項８記載の発明にあっては、板状部材の表側及び裏側の双方において広告宣伝対象物を掲載することができるため、複数種類の広告を行い、広告宣伝媒体を効率よく使用することができる。
【００４１】
請求項９〜１３記載の発明にあっては、本発明に係る広告宣伝媒体をゴルフに関連する広告宣伝に利用する場合に適用したものであり、多様性に富んだ使用が可能となる。
例えば、本発明に係る広告宣伝媒体をゴルフのトーナメントにおいて入場者に対して無償でノベルティとして頒布される場合や、又は入場券代わりに有償で頒布されるような場合には、当該トーナメントのスポンサー企業の商品の立体写真を上記広告表示部に載せることもできる。
【００４２】
その結果、本発明に係る広告宣伝媒体は、上記のような場合には、トーナメントスポンサーである企業の広告宣伝媒体として有効に使用することができる。
また、本発明に係る広告宣伝媒体をゴルフ場において、スコアカードの代わりに販売して宣伝広告を行うと共に、購入者であり広告宣伝媒体を情報の受け手であるゴルファーである個人が自己の練習に使用するゴルフグッズとしても使用することもできる。
【００４３】
その結果、宣伝広告効果のみならず、宣伝広告情報の受け取り手である個人も、宣伝広告以外の用途に広告宣伝媒体を活用することができ、使用する際には同時に広告を見ることから、宣伝広告も需要者、消費者に対する一過性の情報とはならず、繰り返し宣伝広告効果を奏することができ、より宣伝広告効果を増進することができる。
【００４４】
本請求項記載の広告宣伝媒体を自己のゴルフトレーニングに使用した場合にあっては、上記眼鏡部を通して立体画像表示部に表示されたホールをのぞき見ることにより、そのホールを視覚的に模擬体験することができるため、実際のゴルフコースに出る前に、当該ホールの攻略方法を事前に検討することができ、さらに繰り返しイメージトレーニングを行うことができる。
【００４５】
即ち、ゴルフプレーにおいてスコアアップを行うためには、「どのような球筋で、どこへ、どのようなショットを行うか」が最も重要な要素となる。そのためには、個別のホールの事前の検討が必須となるものであるが、請求項９〜１３記載の発明によれば、本広告宣伝媒体を使用することにより事前のシュミレーションが可能となり、実際にゴルフコースに出た場合に、各ホールの現場で短時間の内に攻略法を考え悩む必要はなく、そのゴルフコースを容易に攻略することができ、スコアをアップさせることができる。
【００４６】
また、上記立体画像表示部における特定のホールをプレイヤーの視点からグリーンを眺めた風景を示すホール立体写真を見ることにより実際の特定のホールを立体写真により奥行きのある画面により立体的に当該ホールの情景を把握することができる。さらに、上記ホール鳥瞰図を見ることにより、各ホールの全体形状を鳥瞰的に認識し、コースの攻略法の研究を行うこともできることから、自分のゴルフのスキル向上を図ることができる。
【００４７】
即ち、上記ホール立体写真および上記コース鳥瞰写真を視認することにより、当該ホールにおいて、どのような角度で、どのような方向へショットを行えばよいか、に関する検討を、より完全にイメージトレーニングすることができることから、より容易にスコアをアップさせることができる。
【００４８】
ゴルフにおいてはイメージトレーニングの重要性は以前から指摘されているが、本発明にあっては、スイングのイメージトレーニング及び、ショット時の姿勢のイメージトレーニング以外に、さらにコースの各ホールにおける攻略法を立体画像を用いてバーチャルなシミュレーションを有効に行うことができるものである。
【００４９】
請求項１０記載の発明にあっては、例えばゴルフトーナメントを観戦する場合に、自分がファンであるプロゴルファーに随行しながら、そのプレイのスコアを記録することができる。また、自分自身がプレーする際に携行して使用する場合には、自分のスコアを記載することもできる。
【００５０】
請求項１１記載の発明にあっては、本広告宣伝媒体の所有者は上記ホール鳥瞰図を見た場合には、当該ホールにおける著名プロゴルファーの飛距離を確認、参照することができ、自己のショットの飛距離と対比して比較検討が可能となり、自己のゴルフプレーの目標とすることができ、よりゴルフに対する興趣を向上させることができる。
【００５１】
請求項１２記載の発明にあっては、上記立体画像表示部に表されたホールの立体写真が、そのホールのグリーン地表のアンジュレーションを視認しうるように形成されていることから、眼鏡部から見た場合に、そのホール地表面が立体的に見えてアンジュレーションが良好に認識できるため、実際に当該ホールに立って当該ホールを見ているかのようにリアルに体感することができる。
【００５２】
したがって、イメージトレーニングする場合に、臨場感があることから、より真剣に取り組むことができ、イメージトレーニングの効果が大きくなる。その結果、実際のグリーン上におけるパットを行う際に、このような事前のトレーニングの効果を活かすことができる。
【００５３】
請求項１３記載の発明にあっては、当該ゴルフコースを構成する全ホールに関し事前に視覚的に体験することができ、事前に各ホールの攻略方法を検討することができることから、本発明に係る広告宣伝媒体を利用することにより、容易にスコアのアップを行うことができる。
【発明を実施するための最良の形態】
【００５４】
以下、添付図面を参照して、本発明に係る広告宣伝媒体をゴルフトーナメントにおいてスポンサーが広告宣伝媒体としてトーナメントのギャラリーに対して頒布する場合の一適用例を説明する。
【００５５】
前提として、本実施の形態に係る広告宣伝媒体１１は、ゴルフトーナメントにおいて、トーナメントのスポンサー企業が広告宣伝媒体として使用するものであり、トーナメントの開催にあたってトーナメントの主催者側により、当該トーナメントを観覧するギャラリーに対して料金と引き換えに配布されるものである。
【００５６】
図１に示すように、本実施形態に係る広告宣伝媒体１１は、広告宣伝媒体本体４０と、広告宣伝媒体本体４０に装着される立体画像シート３０とにより構成されている。
【００５７】
上記広告宣伝媒体本体４０は、立体画像表示部１２と、その立体画像表示部１２を観賞するための眼鏡部１３とを有し、上記立体画像表示部１２と、上記眼鏡部１３は一枚の板状部材１４の長さ方向の両端部に形成され、その板状部材１４は両端部１５，１６を中間部１７に対し直角に折り曲げて起立させることにより対向して配置しうるように形成されている。
【００５８】
本実施の形態にあっては、上記立体画像表示部１２は厚紙により形成され、図１に示すように、上記立体画像表示部１２には、あるゴルフ場の特定のホールをプレイヤーの視点で眺めた風景を示すホール立体写真１８と、ホール立体写真１８の右側方に配置された当該ホール全体のレイアウトを示すホール鳥瞰図１９とが表示された立体画像シート３０が着脱可能に固定されている。
【００５９】
上記立体画像シート３０は、全体横長長方形状に形成され、全１８ホールに対応して１８枚備えられ、相互に交換可能に形成されている。
上記立体画像シート３０は、立体画像表示部１２の表面部に形成された４箇所に設けられた固定用スリット３１に四隅部を着脱可能に係止して立体画像表示部１２上に固定されている。
【００６０】
上記立体画像表示部１２に表されたホール立体写真１８は、そのホールにおけるグリーンの地表のアンジュレーションが視認しうるように形成されている。
また、上記立体画像表示部１２の裏面側には、図２に示すように、当該ゴルフトーナメントのスポンサーの商品の写真２１が掲載されている。
【００６１】
また、上記板状部材１４の中間部１７には、図１及び図２に示すように、表面側及び裏面側にはゴルフのスコアカード２２，２７が表示されている。
また、上記板状部材１４は単独で郵便として郵送可能に形成されている。
【００６２】
本実施の形態に係る広告宣伝媒体１１は、図３に示すように、展開状態の一枚の長方形状の厚紙の形態で、ゴルフトーナメントの入場者にトーナメントの観覧料と引き換えに一種のノベルティとして提供されるものである。
従って、折り曲げ可能に形成され、折り曲げ部位には予め、折り筋２３，２４が形成されている。
【００６３】
上記立体画像表示部１２には、あるゴルフ場の各ホールを、それぞれ、ショットを行う際のプレイヤーのポジションから、プレイヤーの視点からグリーンを眺めた風景を示すホール立体写真１８が表示されている。上記ホール立体写真１８には、ショット地点からグリーン方向を見た風景の写真が表示されている。
【００６４】
上記ホール立体写真１８は、各ホールを４台のカメラで撮影し、さらにコンピュータグラフィック処理された立体的な飛び出す画像として形成されている。即ち、上記のホール立体写真１８には、右目の視角で見た画像と、左目の視角で見た画像が重なり合うように表示されている。
【００６５】
また、上記のホール立体写真１８には、そのホールのグリーンの地表のアンジュレーションが明確に認識できるように示されている。
上記のホール立体写真１８の右側方には、図１に示すように、そのホール全体のレイアウトを示すホール鳥瞰図１９が表示されている。
【００６６】
このホール鳥瞰図１９には、飛距離を示すライン２９が複数本記載されている。この複数本のライン２９は、過去、当該ホールにおいてプレーした著名なプロゴルファーによるショットの飛距離を示し、上記ライン２９の右側方には夫々のラインに対応して各著名プロゴルファーの氏名３２が記載されている。
【００６７】
また、このホール鳥瞰図１９には、ボールペン等で記入できるように形成されており、何打目で何処まで球が飛んだか、につき記録することができるようになっている。
【００６８】
一方、上記眼鏡部１３には左目用のレンズ２５と右目用のレンズ２６が、一般的な日本人の目の間隔に適合しうるような間隔寸法に配置されている。このレンズ２５，２６は、下記のように、裏面側に反転させた場合であっても、同様に使用できるように構成されている。
【００６９】
上記左目用のレンズ２５では上記左目の視角で見た画像だけを見ることができ、上記右目用のレンズ２６では上記右目の視角で見た画像だけを見ることができるように構成されている。これにより、上記のホール立体写真１８は、上記眼鏡部１３の左目用レンズ２５及び右目用レンズ２６を通して見た場合に立体的な画像として視認されることになる。
【００７０】
また、上記板状部材１４の中間部１７にあっては、図１及び図２に示すように、表面及び裏面にはゴルフのスコアカード２２，２７が表示されている。
即ち、上記板状部材１４の中間部１７における上面部に、１ホールから９ホールまでのスコアカード２２が表示され、上記板状部材１４の中間部１７における裏面部に１０ホールから１８ホールまでのスコアカード２７が表示されている。
【００７１】
また、上記立体画像表示部１２の裏面側には、図２に示すように、広告表示部２８が形成されており、例えば、本広告宣伝媒体１１が、ゴルフトーナメントの記念品として入場者に対し頒布されるような場合には、上記広告表示部２８には、当該ゴルフトーナメントのスポンサー企業の商品の写真２１が掲載されている。
【００７２】
このスポンサーの商品の写真２１としては、例えば、スポンサーが飲料メーカーの場合は、各種飲料の写真が上記の画像と同様に、当該製品を４台のカメラで撮影し、さらにコンピュータグラフィック処理された立体的な、製品が飛び出して見える、いわゆる３Ｄ画像としての立体写真により形成されている。
【００７３】
以下、本実施の形態に係るゴルフグッズ１１の作用を使用方法に基づき説明する。
本実施の形態に係る上記広告宣伝媒体１１は、参加者を招いてのゴルフコンペにおける参加者、又は、有名ゴルフプレイヤーが参加するトーナメントにおけるギャラリーにゴルフ場にて入場料と引き換えに無償で配布される。
【００７４】
上記広告宣伝媒体１１を受け取ったギャラリーが使用する場合は、図３に示す展開状態の一枚の板状部材の両端部１５，１６を中間部１７に対し直角に折り曲げて起立させることにより対向させ、立体画像表示部１２と眼鏡部１３を形成して上記眼鏡部１３を通して上記立体画像表示部１２に固定された立体写真１８を見ることができる。
【００７５】
上記立体画像表示部１２には、あるゴルフ場の特定のホールをプレイヤーの視点で、ショット位置からグリーンを眺めた風景を示すホール立体写真１８が表示されているので、実際のホールを視覚によりイメージすることができ、現実に当該コースのそのホールでプレーする気持ちになって当該ホールのイメージを模擬体験することができる。
【００７６】
この場合、上記ホール立体写真１８はコンピュータグラフィック処理が施された立体写真として形成されていることから、よりリアルな画像によりバーチャルイメージで当該ホールを模擬体験することができる。
【００７７】
また、上記立体画像表示部１２には、上記のホール立体写真１８と共に、そのホール全体のレイアウトを示すホール鳥瞰図１９が表示されていることから、どのような球筋で、ホールのどの辺りへ、どの様なショットで、かつどの程度の飛距離を以ってボールを打つべきかを検討することができ、そのホールの攻略方法を、トーナメントを観戦しながらトーナメントのプロと共に検討することができる。
【００７８】
また、この場合、ホール鳥瞰図１９には、著名なプロゴルファーの名称が付されたショット到達位置を示すライン２９が記載されていることから、上記ライン２９を参考にしつつ上記ホールの攻略方法を自分なりに練ることができる。
従って、トーナメントにおいてギャラリーとして観戦する場合には、プレーしているプロを他の著名プロのショットと対比しながら、観戦することができるため、よりトーナメント観戦を楽しむことができる。
【００７９】
また、上記立体画像表示部１２の裏面側の広告表示部２８には、トーナメントのスポンサー企業の商品の写真２１が表示されており、眼鏡部１３を介して上記スポンサーの商品を飛び出す画像により立体的に、かつ迫力のある３Ｄ画像として視認することもできることから、宣伝広告効果を増大させることができる。
【００８０】
また、上記板状部材１４の中間部１７には、ゴルフのスコアカード２２，２７が表示されているので、ゴルフトーナメントを観戦する場合に、自分がファンであるプロゴルファーに随行しながら、そのプレイのスコアを記録することができ、そのトーナメントの興趣が増大する。
【００８１】
本実施の形態にあっては、広告宣伝媒体１１がゴルフトーナメントにおける観覧料と引き換えにギャラリーに配布される場合を例に説明したが、上記実施の形態に限定されず、例えば、一般のゴルファーが自分のプレーに使用しうるようにゴルフ練習用グッズとして、ゴルフ場の売店等にて有料でゴルファーに販売してもよい。
【００８２】
このように、一般のゴルファーのプレーに使用される場合には、自分のスコアを上記スコアカード２２，２７に記入することができることから、ゴルフ場に設置されたスコアカードは不要となる。
このようにして本発明に係る広告宣伝媒体１１を自己のゴルフ練習用グッズとして使用した場合には、上記立体画像表示部１２には、あるゴルフ場の特定のホールをプレイヤーの視点で、ショット位置からグリーンを眺めた風景を示すホール立体写真１８が表示されているので、実際のホールを視覚によりイメージすることができ、現実に当該コースのそのホールでプレーする気持ちになって当該ホールのイメージを模擬体験することができる。
【００８３】
この場合、上記ホール立体写真１８はコンピュータグラフィック処理が施された立体写真として形成されていることから、よりリアルな画像によりバーチャルイメージで当該ホールを模擬体験することができる。
【００８４】
また、上記立体画像表示部１２には、上記のホール立体写真１８と共に、そのホール全体のレイアウトを示すホール鳥瞰図１９が表示されていることから、どのような球筋で、ホールのどの辺りへ、どの様なショットで、かつどの程度の飛距離を以ってボールを打つべきかを検討することができ、そのホールの攻略方法を検討、把握することができる。
【００８５】
また、この場合、ホール鳥瞰図１９には、著名なプロゴルファーのショット到達位置を示すライン２９が記載されていることから、上記ライン２９を参考にしつつ上記ホールの攻略方法を自分なりにコースに出る前に、事前に練ることができる。また、著名なプロゴルファーの名称の表示を参照して当該プロゴルファーの飛距離と自分のショットの飛距離を比較し自己のショットの研究をすることもできる。
【００８６】
したがって、本実施の形態に係る広告宣伝媒体１１にあっては、当該ホールにおいて、どのような球筋で、どのようなショットで、どのような角度でショットを行えばよいか、という点に関し、コースに出る前にイメージトレーニングにより、繰り返し検討、確認することができるので、コースに出て、各ホールにおけるショットを行う際に、自分なりの検討に基づいた自信のあるショットを速やかに行うことができる。
【００８７】
また、上記立体画像表示部１２に表されたホール立体写真１８により、ホールが立体的に見えることからグリーン上のアンジュレーションが良好に認識できる。これにより、そのホールのリアリティ感が増し、より完全なイメージトレーニングを行うことができ、実際のプレーに活かすことができることから、スコアをより容易にアップすることができる。
【００８８】
また、上記立体画像表示部に表される画像は、上記板状部材１４に対し着脱可能に形成され、１８ホール分備えられ、互いに交換可能に形成されているので、ゴルフコースの全ホールについて模擬体験してイメージトレーニングすることができる。
【００８９】
また、上記板状部材１４は絵葉書としてとして使用可能に形成されていてもよい。この場合、上記板状部材１４はハガキと同一サイズに形成し、上記立体画像表示部１２の背面側に上記スポンサーの商品の写真２１を表示する代わりに同所を空白として宛名や伝達事項等を記入することもできる。
【００９０】
また、上記板状部材１４を郵送ができるポストカードとして形成した場合は、自分のゴルフプレーが良好なスコアが出たような場合には、スコアを記載して、記念として友達や家族等に郵送することができる。
また、ゴルフトーナメントの雰囲気などをよりリアルに友達や家族に知らせることができる記念品としても使用することができると共に、友人等がファンであるプロゴルファーのトーナメントの結果に関するゴルフ場での記録を、記念品として当該友人等に郵送することもできる。
【００９１】
このように、広告宣伝媒体１１を最初に入手した個人がさらに他の個人に対して広告宣伝媒体１１を提供することにより、広告宣伝情報を受け取り手をさらに増大することができ、より広告宣伝効果をごく自然に高めることができる。
【００９２】
本実施の形態に係る広告宣伝媒体１１にあっては、広告宣伝媒体をゴルフのトーナメントの観覧者に対して料金と引き換えに配布するゴルフグッズとして使用する場合を例に説明したが、上記実施の形態に限定されず、ゴルファーが自己のプレーのイメージトレーニング用に使用することもでき、このように使用した場合には以下のような効果がある。
【００９３】
即ち、ゴルフゴルファーは、実際にゴルフコースに出る前に、ゴルフ練習場でショットやフォームを確認するための練習をすることが一般であるが、ゴルフ練習場は、いわゆる「打ちっ放し」方式のものが多く、実際のゴルフ場のようにゴルフコースが形成されてはいないことから、ゴルフコースの各ホールを如何に攻略するか、という観点からの練習は行うことができない。
【００９４】
したがって、プロゴルファーがゴルフコースの各ホールに実際に立った場合に、初めてのコースである場合には、各ホールの具体的な地理的な状況は事前に十分には把握できないことから、コースのどの辺りへ、どの角度で、どの程度の飛距離で球を打ったらよいのか、に関しては事前には検討することができなかった。
【００９５】
その結果、実際にプレーを行った場合には、当該ホールに行き、ショットを行うまでの短時間の内にショットの方向性、ショットの角度、飛距離等に関する判断をせざるをえず、その結果、良好な結果を残せない場合も多く、スコアアップが困難であった。
そのため、このような観点から、従来より、実際にゴルフコースに出る前に、予めそのゴルフコースの各ホールに関しバーチャルな予備体験を行い、有効なショットの方向、角度、飛距離等に関しイメージトレーニングできるゴルフ練習器具が要望されていたものであり、本発明に係る広告宣伝媒体１１はこのような使用方法により上記要請に応えることができるものである。
【００９６】
さらに、本実施の形態にあっては、広告宣伝媒体をゴルフのトーナメントの観覧者に対して料金と引き換えに配布する場合を例に説明したが、上記実施の形態に限定されず、例えば、モーターショー等のイベント会場において、出展企業が自社の新型車を飛び出す画像として処理し、迫力のある３Ｄ画像により宣伝することもできる。
このような場合には、広告宣伝媒体はモーターショーの当該パビリオンにて入場者に頒布されることとなる。
【００９７】
このような場合には、例えば、その年度の当該自動車企業の新車一覧の紹介という名目で、複数種類の新型車を複数枚のシートのセットにして広告宣伝媒体本体と共に頒布することもでき、当該パビリオンへの入場者は、当該自動車企業の自動車に興味のある人間であり、このような人間に対するプロモーションができることから、当該自動車企業にとっては広告宣伝効率のよい、非常に有効な宣伝となる。
また、著名な観光地の売店において、当該観光地における著名な風景を、飛び出す画像としての、迫力のある３Ｄ画像により画像構成し、複数枚のセットにして広告宣伝媒体本体と共にみやげ物屋で販売することもできる。
【００９８】
さらに、例えば、オリンピックにおける各種の協議種目における著名選手の活躍を飛び出す画像としての３Ｄ画像により構成し、複数枚のセットにして広告宣伝媒体本体と共に販売することもできる。
【００９９】
また、例えば、カラオケハウス、カラオケスナック等で本発明に係る広告宣伝媒体を新人歌手のプロモーション、又は新曲のプロモーションの宣伝媒体として使用することもできる。
【０１００】
このように本発明に係る広告宣伝媒体を、新曲のプロモーション又は新人歌手のプロモーションとして使用する場合には、上記立体画像表示部１２に新人歌手又はプロモーションの対象となっている歌手の画像を立体画像処理して３Ｄ画像として掲載し、上記板状部材１４の中間部１７には新曲の歌詞及び、当該新曲又はプロモーションしようとする新曲に関するカラオケマシンにおける呼出番号を掲載しておく。
【０１０１】
このように形成された広告宣伝媒体１１を、例えば、カラオケハウスの受付にて部屋のキーと共に客に無償で配布するか、又はスナック等において客に適宜無償で頒布する。
【０１０２】
広告宣伝媒体１１を手渡された客は、眼鏡部１３から上記立体画像表示部１２に表示された歌手の立体画像を見て歌手を明確に認識することができ、さらに、上記中間部１７に掲載されたカラオケ曲の呼出番号を参照してカラオケ曲を選択し、かつ、同様に中間部１７に記載された当該曲の歌詞を見ながら歌うことができる。
【０１０３】
このように本発明に係る広告宣伝媒体１１を新曲のプロモーションに利用した場合には、立体画像により当該歌手を認識することができると共に、記載された呼出番号に基づきカラオケマシンで曲を呼び出し、容易にプロモーションに係る曲を客は歌うことができることから、上記の各実施例の場合と同様に、カラオケを介して新曲等のプロモーションを、需要者、顧客側が完全に広告宣伝者と直に相対するように状況、いわば「ワンツーワン」（１対１）の状況で効果的に行うことができる。
【０１０４】
その結果、非常に効果的な新人歌手または新曲のプロモーションを行うことができる。
上記実施の形態にあっては、広告宣伝媒体本体４０が厚紙により形成されている場合を例に説明したが、上記実施の形態に限定されず、例えば、合成樹脂により形成されていてもよく、情報の受け手である各個人が日常的に使用できる重さ及び大きさに形成されていればよい。
【０１０５】
また、広告宣伝媒体本体４０の具体的形状に関しては上記実施の形態に限定されない。
【産業上の利用可能性】
【０１０６】
本発明に係る広告宣伝媒体は、マスメディアを利用することなく当該広告宣伝情報に対して興味を有している個人に対して直接にピンポイントで広告宣伝情報を立体画像により提供する全ての媒体に適用することができる。
【図面の簡単な説明】
【０１０７】
【図１】本発明に係る広告宣伝媒体の実施例を示すものであって、使用状態を示す斜視図である。
【図２】本発明に係るゴルフグッズの実施例を示すものであって、使用状態を裏返しにした状態を示す斜視図である。
【図３】本発明に係る広告宣伝媒体の実施例を示すものであって、展開状態で提供される状態の斜視図である。
【符号の説明】
【０１０８】
１１  広告宣伝媒体  
１２  立体画像表示部
１３  眼鏡部
１４  板状部材
１５  板状部材の端部
１６  板状部材の端部
１７  板状部材の中間部
１８  ホール立体写真
１９  ホール鳥瞰図
２１  商品の写真
２２  スコアカード
２３  折り筋
２４  折り筋
２５  レンズ
２６  レンズ
２７  スコアカード
２８  広告表示部
２９  ライン
３０  立体画像シート
３１  固定用スリット
３２  プロの氏名
４０  広告宣伝媒体本体
【図１】
2006184812.tif 000003
【図２】
2006184812.tif 000004
【図３】
2006184812.tif 000005
【手続補正書】
【提出日】平成17年3月22日(2005.3.22)
【手続補正１】
【補正対象書類名】明細書
【補正対象項目名】全文
【補正方法】変更
【補正の内容】
【発明の詳細な説明】
【技術分野】
【０００１】
本発明は広告宣伝媒体に係り、特に、当該広告宣伝情報を必要とする個人に対して広告宣伝情報を確実に伝達することができる広告宣伝媒体に関する。
【背景技術】
【０００２】
現在、テレビ、新聞又は雑誌等のマスメディアを利用して様々な企業等による広告が行われている。
【０００３】
マスメディアは多数の視聴者、読者に対して様々な情報を広く発信することができることから、広告宣伝においても多くの視聴者、読者に当該広告が目に触れる機会がある可能性があり、従来より、企業等はマスメディアを利用した広告を行ってきている。
【０００４】
しかしながら、このようなマスメディアを利用した広告には従来より以下のような問題点が存していた。
マスメディアは広く一般の大衆を対象とする媒体であることから、マスメディアを利用した広告も広く不特定多数の顧客に対して広告を行うものであり、特定の情報の受け手としての視聴者、読者等の対象を絞ることはできない。この場合、専門誌等の対象の読者を絞ったメディアも存在するが、やはり非常に多くの読者を対象とするものである。
【０００５】
従って、当該広告に係る製品等の情報に関して興味を持つ読者及び視聴者のみならず当該広告に係る製品等に興味を持たない読者及び視聴者に対しても均等に広告情報を提供するものであることから、マスメディアにおける広告により消費者による製品購入につながる可能性は、広告の規模と対比した場合に非常に低いものであった。
【０００６】
また、上記マスメディアにおいて広告を行う場合には、当該テレビ会社、新聞社、雑誌社等の、当該マスメディアの所有者に対して支払う広告料が非常に高く、投下する広告宣伝費の額を考慮した場合、費用対効果の観点からは、充分な広告効果を得られない場合が多かった。
さらに、上記マスメディアによる広告はいずれも、視聴者、読者の目に留まる可能性の観点からは、いわば一過性の情報であり、特に、テレビに関しては視聴者が当該コマーシャルをテレビで見た場合であっても、数多くのコマーシャルが行われている現状から考慮した場合、特定のコマーシャルのみが視聴者の印象に残る可能性は非常に低いものとなる。
【０００７】
同様に、新聞や雑誌等においても、多数のページにおける多数の記事の中から読者が特定の広告に確実にたどり着く可能性は非常に低く、広告掲載料が高いことを考慮した場合、テレビ同様に費用対効果の観点においては広告の有効性に関しては疑問である場合が多い、という事情が存していた。
【０００８】
一方、近年、インターネットが普及していることから、インターネットを利用し、ホームページ上において様々な広告を行うことが可能となり、各社ともに自社の製品をホームページ上において広告宣伝を行っている。このような広告にあっては、広告掲載料は不要となることから上記のような従来のマスメディアにおける場合の不具合はない。
【０００９】
しかしながら、上記ホームページを一般大衆が閲覧するためには、コンピュータを購入しかつ使用して当該ホームページにアクセスしなければならないことから、コンピュータを所有し、かつ、当該会社又は製品に事前に興味を持つ人間のみしか実際の広告を見ない場合が多く、広告の情報伝達の簡易性の点で問題がある、という不具合が存していた。
【００１０】
また、ダイレクトメールにより直接に個人に対して広告宣伝情報を伝達することは可能であるが、ダイレクトメールの送付先を的確に絞り込むことは難しく、上記同様に広告宣伝効果は余り期待できないものであった。
【発明の開示】
【発明が解決しようとする課題】
【００１１】
本発明はこのような従来の問題点に鑑みされたものであって、当該広告の対象となる製品等の情報に密接な関連を有する大衆のみに対し、各個人にピンポイントでかつダイレクトに広告情報を提供することにより、当該広告情報を必要としている需要者、顧客に確実に広告情報を伝達することができる広告媒体を提供することにある。
このような観点から出願人は過去の文献を調査したが関連する文献は発見できなかった。
【課題を解決するための手段】
【００１２】
上記課題を解決するため、請求項１記載の発明にあっては、広告宣伝情報を表示しうる立体画像表示部と、上記立体画像表示部に表示された画像を立体的に視認しうる眼鏡部とを備え、当該広告宣伝情報の受け手である各個人に対して提供されることを特徴とする。
【００１３】
従って、請求項１記載の発明にあっては、広告宣伝媒体が提供された各個人は上記眼鏡部により上記立体画像を視認することにより、立体画像を介して広告宣伝情報を受けとる。
また、上記広告宣伝媒体は直接に、情報の受け手である当該個人に手渡される場合もあれば、郵送される場合もあり、個人への提供の方法に関しては方法を問わない。
【００１４】
請求項２記載の発明にあっては、上記広告宣伝媒体は、情報の受け手である各個人に頒布されうる大きさであって各個人が日常的に使用しうる重さに形成されていると共に折りたたみ可能に形成されていることを特徴とする。
【００１５】
従って、請求項２記載の発明にあっては、広告宣伝媒体は様々な態様で容易に情報の受け手である各個人に提供されうると共に、広告宣伝媒体を入手した各個人は手軽に使用して広告宣伝情報を認識することができる。
【００１６】
請求項３記載の発明にあっては、上記広告宣伝媒体は、それ自体で郵便により送付可能に形成されていることを特徴とする。
従って、請求項３記載の発明にあっては、広告宣伝媒体は媒体そのものとして郵送されて個人に提供される。
【００１７】
請求項４記載の発明にあっては、広告宣伝媒体本体と、広告宣伝媒体本体の立体画像表示部に掲載される立体画像シートとにより構成されることを特徴とする。
【００１８】
従って、請求項４記載の発明にあっては、上記立体画像表示部には広告宣伝媒体本体とは別個に設けられた立体画像シートが取り付けられて立体画像を形成する。
【００１９】
請求項５記載の発明にあっては、上記立体画像シートは複数枚により構成され、上記立体画像表示部に対して着脱可能に固定されることを特徴とする。
従って、請求項５記載の発明にあっては、広告宣伝媒体本体の立体画像表示部に対しては、複数枚の立体画像シートを夫々、付け替えることにより様々な立体画像を形成することができる。
【００２０】
請求項６記載の発明にあっては、上記立体画像表示部と上記眼鏡部とは、一枚の板状部材に設けられ、上記立体画像表示部と上記眼鏡部とを折曲して起立させ対向しうるように配置して使用することを特徴とする。
【００２１】
従って、請求項６記載の発明にあっては、板状部材として各個人に提供され、提供された個人は立体画像表示部及び眼鏡部を起立させて使用する。
請求項７記載の発明にあっては、上記板状部材は全体長方形に形成され、上記立体画像表示部と上記眼鏡部とは、長さ方向両端部に配置されていることを特徴とする。
【００２２】
請求項８記載の発明にあっては、上記立体画像表示部は上記板状部材の表面側及び裏面側の双方に形成され、立体画像表示部及び眼鏡部は裏面方向に折曲しても使用しうるように構成されていることを特徴とする。
【００２３】
請求項９記載の発明にあっては、上記立体画像表示部には、ゴルフコースの各ホールをプレイヤーの視点からグリーンを眺めた風景を示すホール立体写真と、当該ホールのレイアウトを示すホール鳥瞰図とが対応付けられて表示されることを特徴とする。
【００２４】
請求項９記載に係る発明にあっては、本発明に係る広告宣伝媒体を、ゴルフトーナメントにおいて頒布され、又は当該ゴルフ場において販売される広告宣伝媒体に適用した場合に係り、立体画像表示部としてホール立体写真及びホール鳥瞰図が掲載されている。
【００２５】
従って、請求項９記載の発明にあっては、本請求項に係る広告宣伝媒体を入手したゴルファーは、上記ゴルフコースにおける各ホールをプレイヤーの視点からグリーンを眺めた風景を示すホール立体写真を見ることにより実際の当該ホールをイメージすることができると共に、上記ホール鳥瞰図とを見ることによりそのホールの有効な攻略方法を、実際に当該コースに立つ以前に検討することができる。
【００２６】
請求項１０記載の発明にあっては、上記立体画像表示部と上記眼鏡部との間にはゴルフのスコアカードが表示されていることを特徴とする。
従って、請求項１０記載の発明にあっては、上記広告宣伝媒体を入手した場合には、例えばゴルフトーナメントを観戦する場合に、自分がファンであるプロゴルファーに随行しながら、そのプレイのスコアを記録することができる。また、自分自身がプレーする場合には、自分のスコアを記載することもできる。
【００２７】
請求項１１記載の発明にあっては、上記鳥瞰写真には、各プロゴルファーの当該ホールにおける飛距離が示されていることを特徴とする。
従って、請求項１１記載の発明にあっては、広告宣伝媒体を入手した場合には、鳥瞰写真に示された各プロゴルファーの当該ホールにおける飛距離を参照し、当該ホールの攻略方法を練ることができる。
【００２８】
請求項１２記載の発明にあっては、上記立体画像表示部に表示されたホール立体写真は、撮影された当該ホールのグリーンの地表のアンジュレーションが視認しうるように形成されていることを特徴とする。
【００２９】
従って、請求項１２記載の発明にあっては、本発明に係る広告宣伝媒体の使用者は、本発明に係る広告宣伝媒体を使用した場合には、各ホールのグリーンのアンジュレーションが事前に把握できる。
【００３０】
請求項１３記載の発明にあっては、上記立体画像表示部に表されるホール立体写真及びホール鳥瞰図は、当該ゴルフコースを形成する１８ホールを個別に撮影した１８枚の写真で形成されると共に上記立体画像表示部に対し着脱可能に固定されることを特徴とする。
【００３１】
従って、請求項１３記載の発明に係る広告宣伝媒体を使用した場合には、当該ゴルフコースを構成する全ホールに関し事前に視覚的に体験することができ、事前に各ホールの攻略方法を検討することができる。
【発明の効果】
【００３２】
請求項１記載の発明にあっては、従来より行われているマスメディアを利用した広告とは異なり、当該広告宣伝に係る情報に密接に関連し、当該情報の入手を必要としている当該個人に対し、直接に提供される。
【００３３】
その結果、当該広告の対象となる製品等の情報に密接な関連を有する顧客のみに対し、各個人にピンポイントでかつダイレクトに広告情報を提供することにより、当該広告情報を必要としている需要者、顧客に確実に広告情報を伝達することができる広告媒体を提供することが可能となる。
【００３４】
従って、広告宣伝側と広告宣伝情報の受け手側が完全に１人対１人の状態、即ち、「ワンツーワン」の状況下において広告宣伝情報の受け渡しを行うことができることから、マスメディアを利用した広告の場合に比して、宣伝広告情報が確実に、当該情報を必要としている消費者、需要者である個人に直接に提供されることから、宣伝広告効果を大幅に向上させることが可能となる。
【００３５】
また、マスメディアを利用しないことから、広告料を低減することが可能であり、宣伝広告の費用効率を大幅に向上させることが可能となる。
さらに、本発明に係る広告宣伝媒体は、この広告宣伝媒体を入手した個人が広告宣伝対象物を立体画像により認識することができるものであることから、一般の掲載広告の場合に比して、よりリアルな、インパクトのある臨場感に富んだ宣伝広告情報を受け取ることができる。
【００３６】
請求項２記載の発明にあっては、広告宣伝媒体は様々な態様で容易に情報の受け手である各個人に提供されうることから、広告宣伝媒体としての利用の可能性を広範なものとすることができる。また、広告宣伝媒体を入手した各個人は手軽に使用して広告宣伝情報を認識することができることから、広告宣伝情報へのアクセスも容易であり、確実な宣伝効果を得ることができる。
【００３７】
請求項３記載の発明にあっては、より効果的なダイレクトメールとして使用することもできる。
請求項４記載の発明にあっては、立体画像は広告宣伝媒体本体とは別個に設けられた立体画像シートに描かれ、当該立体画像シートを広告宣伝媒体本体に取り付けて、眼鏡部から視認することにより立体画像を形成するように構成されていることから、広告宣伝媒体本体と立体画像シートとを別個に提供又は販売して情報の受け取り手に提供することができる。
【００３８】
請求項５記載の発明にあっては、一基の広告宣伝媒体本体に複数枚の立体画像シートを使用することにより様々な立体画像を形成することができる。
請求項６乃至請求項８記載の発明にあっては、広告宣伝媒体は一枚の板状部材により形成されていることから、搬送性に優れ、情報の受け手である各個人に対して容易に提供することができると共に、提供された個人側においても取扱性、保管性に優れることから確実な広告宣伝効果を得ることができる。
【００３９】
また、提供された需要者も立体画像表示部及び眼鏡部を折曲して起立させることにより使用することができることから使用も容易であり、確実に広告宣伝対象物を視認して、広告宣伝情報を得ることができる。
従って、例えば、本発明に係る広告宣伝媒体の情報の受け手である各個人への提供時には、平板な１枚の板状部材の状態で包装されて販売又は頒布され、各個人が使用する際に、立体眼鏡として使用可能な状態に、上記立体写真部及び上記眼鏡部を起立させて使用することができる。
【００４０】
その結果、商品としての輸送、保管、販売に当たっては１枚の板状部材であることから扱いやすく輸送コスト、保管コストを低減でできると共に、販売にあたっても包装した場合にも取り扱いが容易となる。
請求項８記載の発明にあっては、板状部材の表側及び裏側の双方において広告宣伝対象物を掲載することができるため、複数種類の広告を行い、広告宣伝媒体を効率よく使用することができる。
【００４１】
請求項９〜１３記載の発明にあっては、本発明に係る広告宣伝媒体をゴルフに関連する広告宣伝に利用する場合に適用したものであり、多様性に富んだ使用が可能となる。
例えば、本発明に係る広告宣伝媒体をゴルフのトーナメントにおいて入場者に対して無償でノベルティとして頒布される場合や、又は入場券代わりに有償で頒布されるような場合には、当該トーナメントのスポンサー企業の商品の立体写真を上記広告表示部に載せることもできる。
【００４２】
その結果、本発明に係る広告宣伝媒体は、上記のような場合には、トーナメントスポンサーである企業の広告宣伝媒体として有効に使用することができる。
また、本発明に係る広告宣伝媒体をゴルフ場において、スコアカードの代わりに販売して宣伝広告を行うと共に、購入者であり広告宣伝媒体を情報の受け手であるゴルファーである個人が自己の練習に使用するゴルフグッズとしても使用することもできる。
【００４３】
その結果、宣伝広告効果のみならず、宣伝広告情報の受け取り手である個人も、宣伝広告以外の用途に広告宣伝媒体を活用することができ、使用する際には同時に広告を見ることから、宣伝広告も需要者、消費者に対する一過性の情報とはならず、繰り返し宣伝広告効果を奏することができ、より宣伝広告効果を増進することができる。
【００４４】
本請求項記載の広告宣伝媒体を自己のゴルフトレーニングに使用した場合にあっては、上記眼鏡部を通して立体画像表示部に表示されたホールをのぞき見ることにより、そのホールを視覚的に模擬体験することができるため、実際のゴルフコースに出る前に、当該ホールの攻略方法を事前に検討することができ、さらに繰り返しイメージトレーニングを行うことができる。
【００４５】
即ち、ゴルフプレーにおいてスコアアップを行うためには、「どのような球筋で、どこへ、どのようなショットを行うか」が最も重要な要素となる。そのためには、個別のホールの事前の検討が必須となるものであるが、請求項９〜１３記載の発明によれば、本広告宣伝媒体を使用することにより事前のシュミレーションが可能となり、実際にゴルフコースに出た場合に、各ホールの現場で短時間の内に攻略法を考え悩む必要はなく、そのゴルフコースを容易に攻略することができ、スコアをアップさせることができる。
【００４６】
また、上記立体画像表示部における特定のホールをプレイヤーの視点からグリーンを眺めた風景を示すホール立体写真を見ることにより実際の特定のホールを立体写真により奥行きのある画面により立体的に当該ホールの情景を把握することができる。さらに、上記ホール鳥瞰図を見ることにより、各ホールの全体形状を鳥瞰的に認識し、コースの攻略法の研究を行うこともできることから、自分のゴルフのスキル向上を図ることができる。
【００４７】
即ち、上記ホール立体写真および上記コース鳥瞰写真を視認することにより、当該ホールにおいて、どのような角度で、どのような方向へショットを行えばよいか、に関する検討を、より完全にイメージトレーニングすることができることから、より容易にスコアをアップさせることができる。
【００４８】
ゴルフにおいてはイメージトレーニングの重要性は以前から指摘されているが、本発明にあっては、スイングのイメージトレーニング及び、ショット時の姿勢のイメージトレーニング以外に、さらにコースの各ホールにおける攻略法を立体画像を用いてバーチャルなシミュレーションを有効に行うことができるものである。
【００４９】
請求項１０記載の発明にあっては、例えばゴルフトーナメントを観戦する場合に、自分がファンであるプロゴルファーに随行しながら、そのプレイのスコアを記録することができる。また、自分自身がプレーする際に携行して使用する場合には、自分のスコアを記載することもできる。
【００５０】
請求項１１記載の発明にあっては、本広告宣伝媒体の所有者は上記ホール鳥瞰図を見た場合には、当該ホールにおける著名プロゴルファーの飛距離を確認、参照することができ、自己のショットの飛距離と対比して比較検討が可能となり、自己のゴルフプレーの目標とすることができ、よりゴルフに対する興趣を向上させることができる。
【００５１】
請求項１２記載の発明にあっては、上記立体画像表示部に表されたホールの立体写真が、そのホールのグリーン地表のアンジュレーションを視認しうるように形成されていることから、眼鏡部から見た場合に、そのホール地表面が立体的に見えてアンジュレーションが良好に認識できるため、実際に当該ホールに立って当該ホールを見ているかのようにリアルに体感することができる。
【００５２】
したがって、イメージトレーニングする場合に、臨場感があることから、より真剣に取り組むことができ、イメージトレーニングの効果が大きくなる。その結果、実際のグリーン上におけるパットを行う際に、このような事前のトレーニングの効果を活かすことができる。
【００５３】
請求項１３記載の発明にあっては、当該ゴルフコースを構成する全ホールに関し事前に視覚的に体験することができ、事前に各ホールの攻略方法を検討することができることから、本発明に係る広告宣伝媒体を利用することにより、容易にスコアのアップを行うことができる。
【発明を実施するための最良の形態】
【００５４】
以下、添付図面を参照して、本発明に係る広告宣伝媒体をゴルフトーナメントにおいてスポンサーが広告宣伝媒体としてトーナメントのギャラリーに対して頒布する場合の一適用例を説明する。
【００５５】
前提として、本実施の形態に係る広告宣伝媒体１１は、ゴルフトーナメントにおいて、トーナメントのスポンサー企業が広告宣伝媒体として使用するものであり、トーナメントの開催にあたってトーナメントの主催者側により、当該トーナメントを観覧するギャラリーに対して入場券と引き換えに配布されるものである。
【００５６】
図１に示すように、本実施形態に係る広告宣伝媒体１１は、広告宣伝媒体本体４０と、広告宣伝媒体本体４０に装着される立体画像シート３０とにより構成されている。
【００５７】
上記広告宣伝媒体本体４０は、立体画像表示部１２と、その立体画像表示部１２を観賞するための眼鏡部１３とを有し、上記立体画像表示部１２と、上記眼鏡部１３は一枚の板状部材１４の長さ方向の両端部に形成され、その板状部材１４は両端部１５，１６を中間部１７に対し直角に折り曲げて起立させることにより対向して配置しうるように形成されている。
【００５８】
本実施の形態にあっては、上記立体画像表示部１２は厚紙により形成され、図１に示すように、上記立体画像表示部１２には、あるゴルフ場の特定のホールをプレイヤーの視点で眺めた風景を示すホール立体写真１８と、ホール立体写真１８の右側方に配置された当該ホール全体のレイアウトを示すホール鳥瞰図１９とが表示された立体画像シート３０が着脱可能に固定されている。
【００５９】
上記立体画像シート３０は、全体横長長方形状に形成され、全１８ホールに対応して１８枚備えられ、相互に交換可能に形成されている。
上記立体画像シート３０は、立体画像表示部１２の表面部に形成された４箇所に設けられた固定用スリット３１に四隅部を着脱可能に係止して立体画像表示部１２上に固定されている。
【００６０】
上記立体画像表示部１２に表されたホール立体写真１８は、そのホールにおけるグリーンの地表のアンジュレーションが視認しうるように形成されている。
また、上記立体画像表示部１２の裏面側には、図２に示すように、当該ゴルフトーナメントのスポンサーの商品の写真２１が掲載されている。
【００６１】
また、上記板状部材１４の中間部１７には、図１及び図２に示すように、表面側及び裏面側にはゴルフのスコアカード２２，２７が表示されている。
また、上記板状部材１４は単独で郵便として郵送可能に形成されている。
【００６２】
本実施の形態に係る広告宣伝媒体１１は、図３に示すように、展開状態の一枚の長方形状の厚紙の形態で、ゴルフトーナメントの入場者にトーナメントの入場券と引き換えに一種のノベルティとして提供されるものである。
従って、折り曲げ可能に形成され、折り曲げ部位には予め、折り筋２３，２４が形成されている。
【００６３】
上記立体画像表示部１２には、あるゴルフ場の各ホールを、それぞれ、ショットを行う際のプレイヤーのポジションから、プレイヤーの視点からグリーンを眺めた風景を示すホール立体写真１８が表示されている。上記ホール立体写真１８には、ショット地点からグリーン方向を見た風景の写真が表示されている。
【００６４】
上記ホール立体写真１８は、各ホールを、左右上下２台づつ、合計４台のカメラで特殊撮影し、さらにコンピュータグラフィックによる画像処理がされた立体的な飛び出す画像として形成されている。即ち、上記のホール立体写真１８には、右目の視角で見た画像と、左目の視角で見た画像が重なり合うように表示されている。
【００６５】
また、上記のホール立体写真１８には、そのホールのグリーンの地表のアンジュレーションが明確に認識できるように示されている。
上記のホール立体写真１８の右側方には、図１に示すように、そのホール全体のレイアウトを示すホール鳥瞰図１９が表示されている。
【００６６】
このホール鳥瞰図１９には、飛距離を示すライン２９が複数本記載されている。この複数本のライン２９は、過去、当該ホールにおいてプレーした著名なプロゴルファーによるショットの飛距離を示し、上記ライン２９の右側方には夫々のラインに対応して各著名プロゴルファーの氏名３２が記載されている。
【００６７】
また、このホール鳥瞰図１９には、ボールペン等で記入できるように形成されており、何打目で何処まで球が飛んだか、につき記録することができるようになっている。
【００６８】
一方、上記眼鏡部１３には左目用のレンズ２５と右目用のレンズ２６が、一般的な日本人の目の間隔に適合しうるような間隔寸法に配置されている。このレンズ２５，２６は、下記のように、裏面側に反転させた場合であっても、同様に使用できるように構成されている。
【００６９】
上記左目用のレンズ２５では上記左目の視角で見た画像だけを見ることができ、上記右目用のレンズ２６では上記右目の視角で見た画像だけを見ることができるように構成されている。これにより、上記のホール立体写真１８は、上記眼鏡部１３の左目用レンズ２５及び右目用レンズ２６を通して見た場合に立体的な画像として視認されることになる。
【００７０】
また、上記板状部材１４の中間部１７にあっては、図１及び図２に示すように、表面及び裏面にはゴルフのスコアカード２２，２７が表示されている。
即ち、上記板状部材１４の中間部１７における上面部に、１ホールから９ホールまでのスコアカード２２が表示され、上記板状部材１４の中間部１７における裏面部に１０ホールから１８ホールまでのスコアカード２７が表示されている。
【００７１】
また、上記立体画像表示部１２の裏面側には、図２に示すように、広告表示部２８が形成されており、例えば、本広告宣伝媒体１１が、ゴルフトーナメントの記念品として入場者に対し頒布されるような場合には、上記広告表示部２８には、当該ゴルフトーナメントのスポンサー企業の商品の写真２１が掲載されている。
【００７２】
このスポンサーの商品の写真２１としては、例えば、スポンサーが飲料メーカーの場合は、各種飲料の写真が上記の画像と同様に、当該製品を４台のカメラで撮影し、さらにコンピュータグラフィック処理された立体的な、製品が飛び出して見える、いわゆる３Ｄ画像としての立体写真により形成されている。
【００７３】
以下、本実施の形態に係るゴルフグッズ１１の作用を使用方法に基づき説明する。
本実施の形態に係る上記広告宣伝媒体１１は、参加者を招いてのゴルフコンペにおける参加者、又は、有名ゴルフプレイヤーが参加するトーナメントにおけるギャラリーにゴルフ場にて入場券と引き換えに無償で配布される。
【００７４】
上記広告宣伝媒体１１を受け取ったギャラリーが使用する場合は、図３に示す展開状態の一枚の板状部材の両端部１５，１６を中間部１７に対し直角に折り曲げて起立させることにより対向させ、立体画像表示部１２と眼鏡部１３を形成して上記眼鏡部１３を通して上記立体画像表示部１２に固定された立体写真１８を見ることができる。
【００７５】
上記立体画像表示部１２には、あるゴルフ場の特定のホールをプレイヤーの視点で、ショット位置からグリーンを眺めた風景を示すホール立体写真１８が表示されているので、実際のホールを視覚によりイメージすることができ、現実に当該コースのそのホールでプレーする気持ちになって当該ホールのイメージを模擬体験することができる。
【００７６】
この場合、上記ホール立体写真１８はコンピュータグラフィック処理が施された立体写真として形成されていることから、よりリアルな画像によりバーチャルイメージで当該ホールを模擬体験することができる。
【００７７】
また、上記立体画像表示部１２には、上記のホール立体写真１８と共に、そのホール全体のレイアウトを示すホール鳥瞰図１９が表示されていることから、どのような球筋で、ホールのどの辺りへ、どの様なショットで、かつどの程度の飛距離を以ってボールを打つべきかを検討することができ、そのホールの攻略方法を、トーナメントを観戦しながらトーナメントのプロと共に検討することができる。
【００７８】
また、この場合、ホール鳥瞰図１９には、著名なプロゴルファーの名称が付されたショット到達位置を示すライン２９が記載されていることから、上記ライン２９を参考にしつつ上記ホールの攻略方法を自分なりに練ることができる。
従って、トーナメントにおいてギャラリーとして観戦する場合には、プレーしているプロを他の著名プロのショットと対比しながら、観戦することができるため、よりトーナメント観戦を楽しむことができる。
【００７９】
また、上記立体画像表示部１２の裏面側の広告表示部２８には、トーナメントのスポンサー企業の商品の写真２１が表示されており、眼鏡部１３を介して上記スポンサーの商品を飛び出す画像により立体的に、かつ迫力のある３Ｄ画像として視認することもできることから、宣伝広告効果を増大させることができる。
【００８０】
また、上記板状部材１４の中間部１７には、ゴルフのスコアカード２２，２７が表示されているので、ゴルフトーナメントを観戦する場合に、自分がファンであるプロゴルファーに随行しながら、そのプレイのスコアを記録することができ、そのトーナメントの興趣が増大する。
【００８１】
本実施の形態にあっては、広告宣伝媒体１１がゴルフトーナメントにおける入場券と引き換えにギャラリーに配布される場合を例に説明したが、上記実施の形態に限定されず、例えば、一般のゴルファーが自分のプレーに使用しうるようにゴルフ練習用グッズとして、ゴルフ場の売店等にて有料でゴルファーに販売してもよい。
【００８２】
このように、一般のゴルファーのプレーに使用される場合には、自分のスコアを上記スコアカード２２，２７に記入することができることから、ゴルフ場に設置されたスコアカードは不要となる。
このようにして本発明に係る広告宣伝媒体１１を自己のゴルフ練習用グッズとして使用した場合には、上記立体画像表示部１２には、あるゴルフ場の特定のホールをプレイヤーの視点で、ショット位置からグリーンを眺めた風景を示すホール立体写真１８が表示されているので、実際のホールを視覚によりイメージすることができ、現実に当該コースのそのホールでプレーする気持ちになって当該ホールのイメージを模擬体験することができる。
【００８３】
この場合、上記ホール立体写真１８はコンピュータグラフィック処理が施された立体写真として形成されていることから、よりリアルな画像によりバーチャルイメージで当該ホールを模擬体験することができる。
【００８４】
また、上記立体画像表示部１２には、上記のホール立体写真１８と共に、そのホール全体のレイアウトを示すホール鳥瞰図１９が表示されていることから、どのような球筋で、ホールのどの辺りへ、どの様なショットで、かつどの程度の飛距離を以ってボールを打つべきかを検討することができ、そのホールの攻略方法を検討、把握することができる。
【００８５】
また、この場合、ホール鳥瞰図１９には、著名なプロゴルファーのショット到達位置を示すライン２９が記載されていることから、上記ライン２９を参考にしつつ上記ホールの攻略方法を自分なりにコースに出る前に、事前に練ることができる。また、著名なプロゴルファーの名称の表示を参照して当該プロゴルファーの飛距離と自分のショットの飛距離を比較し自己のショットの研究をすることもできる。
【００８６】
したがって、本実施の形態に係る広告宣伝媒体１１にあっては、当該ホールにおいて、どのような球筋で、どのようなショットで、どのような角度でショットを行えばよいか、という点に関し、コースに出る前にイメージトレーニングにより、繰り返し検討、確認することができるので、コースに出て、各ホールにおけるショットを行う際に、自分なりの検討に基づいた自信のあるショットを速やかに行うことができる。
【００８７】
また、上記立体画像表示部１２に表されたホール立体写真１８により、ホールが立体的に見えることからグリーン上のアンジュレーションが良好に認識できる。これにより、そのホールのリアリティ感が増し、より完全なイメージトレーニングを行うことができ、実際のプレーに活かすことができることから、スコアをより容易にアップすることができる。
【００８８】
また、上記立体画像表示部に表される画像は、上記板状部材１４に対し着脱可能に形成され、１８ホール分備えられ、互いに交換可能に形成されているので、ゴルフコースの全ホールについて模擬体験してイメージトレーニングすることができる。
【００８９】
また、上記板状部材１４は絵葉書としてとして使用可能に形成されていてもよい。この場合、上記板状部材１４はハガキと同一サイズに形成し、上記立体画像表示部１２の背面側に上記スポンサーの商品の写真２１を表示する代わりに同所を空白として宛名や伝達事項等を記入することもできる。
【００９０】
また、上記板状部材１４を郵送ができるポストカードとして形成した場合は、自分のゴルフプレーが良好なスコアが出たような場合には、スコアを記載して、記念として友達や家族等に郵送することができる。
また、ゴルフトーナメントの雰囲気などをよりリアルに友達や家族に知らせることができる記念品としても使用することができる。
さらに、記念品としてもコレクションし楽しむことができると共に、友人等がファンであるプロゴルファーのトーナメントの結果に関するゴルフ場での記録を、記念品として当該友人等に郵送することもできる。
【００９１】
このように、広告宣伝媒体１１を最初に入手した個人がさらに他の個人に対して広告宣伝媒体１１を提供することにより、広告宣伝情報を受け取り手をさらに増大することができ、より広告宣伝効果をごく自然に高めることができる。
【００９２】
本実施の形態に係る広告宣伝媒体１１にあっては、広告宣伝媒体をゴルフのトーナメントの観覧者に対して入場券と引き換えに配布するゴルフグッズとして使用する場合を例に説明したが、上記実施の形態に限定されず、ゴルファーが自己のプレーのイメージトレーニング用に使用することもでき、このように使用した場合には以下のような効果がある。
【００９３】
即ち、ゴルフゴルファーは、実際にゴルフコースに出る前に、ゴルフ練習場でショットやフォームを確認するための練習をすることが一般であるが、ゴルフ練習場は、いわゆる「打ちっ放し」方式のものが多く、実際のゴルフ場のようにゴルフコースが形成されてはいないことから、ゴルフコースの各ホールを如何に攻略するか、という観点からの練習は行うことができない。
【００９４】
したがって、プロゴルファーがゴルフコースの各ホールに実際に立った場合に、初めてのコースである場合には、各ホールの具体的な地理的な状況は事前に十分には把握できないことから、コースのどの辺りへ、どの角度で、どの程度の飛距離で球を打ったらよいのか、に関しては事前には検討することができなかった。
【００９５】
その結果、実際にプレーを行った場合には、当該ホールに行き、ショットを行うまでの短時間の内にショットの方向性、ショットの角度、飛距離等に関する判断をせざるをえず、その結果、良好な結果を残せない場合も多く、スコアアップが困難であった。
そのため、このような観点から、従来より、実際にゴルフコースに出る前に、予めそのゴルフコースの各ホールに関しバーチャルな予備体験を行い、有効なショットの方向、角度、飛距離等に関しイメージトレーニングできるゴルフ練習器具が要望されていたものであり、本発明に係る広告宣伝媒体１１はこのような使用方法により上記要請に応えることができるものである。
【００９６】
さらに、本実施の形態にあっては、広告宣伝媒体をゴルフのトーナメントの観覧者に対して入場券と引き換えに配布する場合を例に説明したが、上記実施の形態に限定されず、例えば、モーターショー等のイベント会場において、出展企業が自社の新型車を飛び出す画像として処理し、迫力のある３Ｄ画像により宣伝することもできる。
このような場合には、広告宣伝媒体はモーターショーの当該パビリオンにて入場者に頒布されることとなる。
【００９７】
このような場合には、例えば、その年度の当該自動車企業の新車一覧の紹介という名目で、複数種類の新型車を複数枚のシートのセットにして広告宣伝媒体本体と共に頒布することもでき、当該パビリオンへの入場者は、当該自動車企業の自動車に興味のある人間であり、このような人間に対するプロモーションができることから、当該自動車企業にとっては広告宣伝効率のよい、非常に有効な宣伝となる。
また、著名な観光地の売店において、当該観光地における著名な風景を、飛び出す画像としての、迫力のある３Ｄ画像により画像構成し、複数枚のセットにして広告宣伝媒体本体と共にみやげ物屋で販売することもできる。
【００９８】
さらに、例えば、オリンピックにおける各種の競技種目における著名選手の活躍を飛び出す画像としての３Ｄ画像により構成し、複数枚のセットにして広告宣伝媒体本体と共に販売することもできる。
【００９９】
また、例えば、カラオケハウス、カラオケスナック等で本発明に係る広告宣伝媒体を新人歌手のプロモーション、又は新曲のプロモーションの宣伝媒体として使用することもできる。
【０１００】
このように本発明に係る広告宣伝媒体を、新曲のプロモーション又は新人歌手のプロモーションとして使用する場合には、上記立体画像表示部１２に新人歌手又はプロモーションの対象となっている歌手の画像を立体画像処理して３Ｄ画像として掲載し、上記板状部材１４の中間部１７には新曲の歌詞及び、当該新曲又はプロモーションしようとする新曲に関するカラオケマシンにおける呼出番号を掲載しておく。
【０１０１】
このように形成された広告宣伝媒体１１を、例えば、カラオケハウスの受付にて部屋のキーと共に客に無償で配布するか、又はスナック等において客に適宜無償で頒布する。
【０１０２】
広告宣伝媒体１１を手渡された客は、眼鏡部１３から上記立体画像表示部１２に表示された歌手の立体画像を見て歌手を明確に認識することができ、さらに、上記中間部１７に掲載されたカラオケ曲の呼出番号を参照してカラオケ曲を選択し、瞬時に選曲しかつ、同様に中間部１７に記載された当該曲の楽譜や歌詞を見ながら歌うことができる。
【０１０３】
このように本発明に係る広告宣伝媒体１１を新曲のプロモーションに利用した場合には、立体画像により当該歌手を認識することができると共に、記載された呼出番号に基づきカラオケマシンで曲を呼び出し、容易にプロモーションに係る曲を客は歌うことができることから、上記の各実施例の場合と同様に、カラオケを介して新曲等のプロモーションを、需要者、顧客側が完全に広告宣伝者と直に相対するように状況、いわば「ワンツーワン」（１対１）の状況で効果的に行うことができる。
【０１０４】
その結果、非常に効果的な新人歌手または新曲のプロモーションを行うことができる。
上記実施の形態にあっては、広告宣伝媒体本体４０が厚紙により形成されている場合を例に説明したが、上記実施の形態に限定されず、例えば、合成樹脂により形成されていてもよく、情報の受け手である各個人が日常的に使用できる重さ及び大きさに形成されていればよい。
【０１０５】
また、広告宣伝媒体本体４０の具体的形状に関しては上記実施の形態に限定されない。
【産業上の利用可能性】
【０１０６】
本発明に係る広告宣伝媒体は、マスメディアを利用することなく当該広告宣伝情報に対して興味を有している個人に対してダイレクトにピンポイントで広告宣伝情報を立体画像により提供する全ての媒体に適用することができる。
【図面の簡単な説明】
【０１０７】
【図１】本発明に係る広告宣伝媒体の実施例を示すものであって、使用状態を示す斜視図である。
【図２】本発明に係るゴルフグッズの実施例を示すものであって、使用状態を裏返しにした状態を示す斜視図である。
【図３】本発明に係る広告宣伝媒体の実施例を示すものであって、展開状態で提供される状態の斜視図である。
【符号の説明】
【０１０８】
１１  広告宣伝媒体  
１２  立体画像表示部
１３  眼鏡部
１４  板状部材
１５  板状部材の端部
１６  板状部材の端部
１７  板状部材の中間部
１８  ホール立体写真
１９  ホール鳥瞰図
２１  商品の写真
２２  スコアカード
２３  折り筋
２４  折り筋
２５  レンズ
２６  レンズ
２７  スコアカード
２８  広告表示部
２９  ライン
３０  立体画像シート
３１  固定用スリット
３２  プロの氏名
４０  広告宣伝媒体本体